(57)【特許請求の範囲】
【請求項１】
ワイヤレス通信のための方法であって、
第１のデバイスが、ワイヤレスネットワークのアクティブスキャンの一部としてプローブ要求を送信すること、前記プローブ要求は、サービスおよびデバイスの近隣エリアネットワーク（ＮａＮ）クラスタに対応するＮａＮ情報要素を備え、サービスおよびデバイスの前記ＮａＮクラスタは、前記アクティブスキャンを通じて接続されるデバイスと異なるデバイスに関連する、と、
前記第１のデバイスが、ＮａＮ発見情報を受信すること、ここにおいて、前記ＮａＮ発見情報は、ＮａＮクラスタ情報を備え、前記プローブ要求に応じて受信される、と、
サービスおよびデバイスの前記ＮａＮクラスタにおける第２のデバイスに接続する際に使用するための前記ＮａＮ発見情報のサブセットを識別することと
を備える、方法。
【請求項２】
前記ＮａＮ発見情報を受信することは、前記第２のデバイスによって前記プローブ要求を受信することに応じたものである、
請求項１に記載の方法。
【請求項３】
前記ＮａＮ発見情報を受信することは、プローブ応答、ビーコン信号、および発見応答パブリックアクションフレームから成るグループからの少なくとも１つのメッセージにおいて前記ＮａＮ発見情報を受信することを備える、
請求項１に記載の方法。
【請求項４】
前記ＮａＮ発見情報は、前記第２のデバイスとのワイヤレス接続を確立するための前記第２のデバイスに関する詳細を示す多数の情報要素をさらに備える、
請求項１に記載の方法。
【請求項５】
前記ＮａＮ発見情報の前記サブセットは、同期ビーコンタイミング、発見タイミング、および前記第２のデバイスのアイデンティティから成るグループからの少なくとも１つのパラメータを備える、
請求項１に記載の方法。
【請求項６】
前記プローブ要求は、ＮａＮデバイス以外のワイヤレスネットワークインフラストラクチャのためのアクティブスキャンの一部として送信される、
請求項１に記載の方法。
【請求項７】
ＮａＮデバイス以外の前記ワイヤレスネットワークインフラストラクチャは、ピアツーピア（Ｐ２Ｐ）デバイス、ソフトアクセスポイントデバイス、独立基本サービスセット（ＩＢＳＳ）デバイス、メッシュデバイス、および局（ＳＴＡ）デバイスから成るグループからの少なくとも１つのデバイスを備える、
請求項６に記載の方法。
【請求項８】
前記第１のデバイスは、Ｐ２Ｐデバイス、ソフトアクセスポイントデバイス、ＩＢＳＳデバイス、メッシュデバイス、およびＳＴＡデバイスから成るグループからのものである、
請求項１に記載の方法。
【請求項９】
前記ＮａＮ発見情報を受信することは、前記ワイヤレスネットワークの前記第２のデバイスおよび第３のデバイスから成るグループからの少なくとも１つのデバイスから前記ＮａＮ発見情報を受信することを備える、
請求項１に記載の方法。
【請求項１０】
ワイヤレス通信のための第１のデバイスであって、
ワイヤレスネットワークのアクティブスキャンの一部としてプローブ要求を送信する送信機、前記プローブ要求は、サービスおよびデバイスの近隣エリアネットワーク（ＮａＮ）クラスタに対応するＮａＮ情報要素を備え、サービスおよびデバイスの前記ＮａＮクラスタは、アクティブスキャンを通じて接続されるデバイスと異なるデバイスに関連する、と、
ＮａＮ発見情報を受信する受信機、ここにおいて、前記ＮａＮ発見情報は、ＮａＮクラスタ情報を備え、前記プローブ要求に応じて受信される、と、
サービスおよびデバイスの前記ＮａＮクラスタにおける第２のデバイスに接続する際に使用するための前記ＮａＮ発見情報のサブセットを識別するプロセッサと
を備える、第１のデバイス。
【請求項１１】
前記受信機は、前記第２のデバイスによって前記プローブ要求を受信することに応じて前記ＮａＮ発見情報を受信する、
請求項１０に記載の第１のデバイス。
【請求項１２】
前記ＮａＮ発見情報を受信することは、プローブ応答、ビーコン信号、および発見応答パブリックアクションフレームから成るグループからの少なくとも１つのメッセージにおいて前記ＮａＮ発見情報を受信することを備える、
請求項１０に記載の第１のデバイス。
【請求項１３】
前記ＮａＮ発見情報は、前記第１のデバイスと前記第２のデバイスとの間のワイヤレス接続を確立するための前記第２のデバイスに関する詳細を示す多数の情報要素をさらに備える、
請求項１０に記載の第１のデバイス。
【請求項１４】
前記プローブ要求は、ＮａＮデバイス以外のワイヤレスネットワークインフラストラクチャのためのアクティブスキャンの一部として送信される、
請求項１０に記載の第１のデバイス。
【請求項１５】
ワイヤレス通信のための方法であって、
第２のデバイスで第１のデバイスからアクティブスキャンの一部としてプローブ要求を受信すること、ここにおいて、前記プローブ要求は、サービスおよびデバイスの近隣エリアネットワーク（ＮａＮ）クラスタに対応するＮａＮ情報要素を備え、サービスおよびデバイスの前記ＮａＮクラスタは、アクティブスキャンを通じて接続されるデバイスと異なるデバイスに関連する、と、
ＮａＮ発見情報が前記プローブ要求に応じて送信されるかどうかを決定すること、ここにおいて、前記ＮａＮ発見情報は、ＮａＮクラスタ情報を備える、と、
前記決定に応じて前記ＮａＮ発見情報を送信することと
を備える、方法。
【請求項１６】
前記ＮａＮ発見情報を送信することは、前記プローブ要求を受信することに応じたものである、
請求項１５に記載の方法。
【請求項１７】
前記ＮａＮ発見情報が送信されるかどうかを決定することは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
を備える、請求項１５に記載の方法。
【請求項１８】
前記ＮａＮ発見情報が送信されるかどうかを決定することは、
ＮａＮ発見情報が送信された後の経過時間を決定することと、
前記経過時間がしきい値経過時間期間を超えるとき、前記ＮａＮ発見情報が送信されると決定することと
を備える、請求項１５に記載の方法。
【請求項１９】
前記ＮａＮ発見情報は、プローブ応答、ビーコン信号、および発見応答パブリックアクションフレームから成るグループからの少なくとも１つのメッセージにおいて送信される、
請求項１５に記載の方法。
【請求項２０】
前記ＮａＮ発見情報は、ワイヤレス接続を確立するための前記第２のデバイスに関する詳細を示す多数の情報要素をさらに備える、
請求項１５に記載の方法。
【請求項２１】
前記ＮａＮ発見情報が送信されるかどうかを決定することは、
別のＮａＮデバイスが前記プローブ要求に応じてＮａＮ発見情報を送信したとき、前記ＮａＮ発見情報を送信することがスキップされると決定することを備える、
請求項１５に記載の方法。
【請求項２２】
ワイヤレス通信のための第２のデバイスであって、
第１のデバイスからアクティブスキャンの一部としてプローブ要求を受信する受信機、ここにおいて、前記プローブ要求は、サービスおよびデバイスの近隣エリアネットワーク（ＮａＮ）クラスタに対応するＮａＮ情報要素を備え、サービスおよびデバイスの前記ＮａＮクラスタは、アクティブスキャンを通じて接続されるデバイスと異なるデバイスに関連する、と、
ＮａＮ発見情報が前記プローブ要求に応じて送信されるかどうかを決定するプロセッサと、ここにおいて、前記ＮａＮ発見情報は、ＮａＮクラスタ情報を備え、
前記決定に応じて前記ＮａＮ発見情報を送信する送信機と
を備える、第２のデバイス。
【請求項２３】
前記送信機は、前記プローブ要求を受信することに応じて前記ＮａＮ発見情報を送信する、
請求項２２に記載の第２のデバイス。
【請求項２４】
前記プロセッサは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
をさらに行う、請求項２２に記載の第２のデバイス。
【請求項２５】
前記プロセッサは、
ＮａＮ発見情報が送信された後の経過時間を決定することと、
前記経過時間がしきい値経過時間期間を超えるとき、前記ＮａＮ発見情報が送信されると決定することと
をさらに行う、請求項２２に記載の第２のデバイス。
【請求項２６】
前記ＮａＮ発見情報は、ＮａＮデバイス情報をさらに備える、
請求項２２に記載の第２のデバイス。
【発明の詳細な説明】
【相互残照】
【０００１】
[0001]本願は、Shukla等によって、２０１４年１０月１７日に出願される「Ｍｅｔｈｏｄｓ ａｎｄ Ａｐｐａｒａｔｕｓ ｆｏｒ Ｎｅｉｇｈｂｏｒｈｏｏｄ Ａｒｅａ Ｎｅｔｗｏｒｋ Ｄｅｔｅｃｔｉｏｎ」と題された米国特許出願第１４／５１７，６５４号およびShukla等によって、２０１３年１２月２日に出願された「Ｍｅｔｈｏｄｓ ａｎｄ Ａｐｐａｒａｔｕｓ ｆｏｒ Ｎｅｉｇｈｂｏｒｈｏｏｄ Ａｒｅａ Ｎｅｔｗｏｒｋ Ｄｅｔｅｃｔｉｏｎ」と題される米国特許仮出願第６１／９１０，８１３号に対する優先権を主張し、それぞれが譲受人に譲渡される。
【０００２】
[0002]本特許出願は、以下の同時係属のアメリカ特許出願に関連する：それぞれが譲受人に譲渡される、Abrahamによって、２０１３年１月４日に出願された「Ｓｙｓｔｅｍｓ ａｎｄ Ｍｅｔｈｏｄｓ ｆｏｒ Ｈｉｅｒａｒｃｈｉｃａｌ Ｔｉｍｅ Ｓｏｕｒｃｅ Ｕｓａｇｅ ｉｎ Ｎｅａｒ−Ｍｅ Ｎｅｔｗｏｒｋ Ｄｉｓｃｏｖｅｒｙ ａｎｄ Ｓｙｎｃｈｒｏｎｉｚａｔｉｏｎ」と題される米国特許仮出願番号第６１／７４９，２０７号およびAbrahamによって、２０１３年１２月１６日に出願された「Ｓｙｓｔｅｍｓ ａｎｄ Ｍｅｔｈｏｄｓ ｆｏｒ Ｈｉｅｒａｒｃｈｉｃａｌ Ｔｉｍｅ Ｓｏｕｒｃｅ Ｕｓａｇｅ ｉｎ Ｎｅａｒ−Ｍｅ Ａｒｅａ Ｎｅｔｗｏｒｋ Ｄｉｓｃｏｖｅｒｙ ａｎｄ Ｓｙｎｃｈｒｏｎｉｚａｔｉｏｎ」と題される米国特許願番号第１４／１０８，０１４号。
【背景技術】
【０００３】
[0003]以下は、概して、ワイヤレス通信に関し、より具体的に、通信デバイスの近隣エリアネットワーク（ＮａＮ）検出技術に関する。ワイヤレス通信システムは、音声、ビデオ、パケットデータ、メッセージング、ブロードキャスト、等のような、様々なタイプの通信コンテンツを提供するために広く展開されている。これらのシステムは、（例えば、時間、周波数、および電力のような）利用可能なシステムリソースを共有することによって複数のユーザとの通信をサポートすることができる多元接続システムであり得る。Ｗｉ−Ｆｉ（ＩＥＥＥ  ８０２．１１）ネットワークのようなワイヤレスローカルエリアネットワーク（ＷＬＡＮ）は、広く展開され使用される。
【０００４】
[0004]ワイヤレス多元接続性通信システムは、多数のアクセスポイントを含み得、各々同時に、複数のデバイスのため通信をサポートする。アクセスポイントは、ダウンストリームリンクおよびアップストリームリンク上のデバイスと通信し得る。各アクセスポイント（ＡＰ）は、ＡＰのカバレージエリアと称され得る、カバレージ範囲を有する。ＷＬＡＮでは、基本サービスセット（ＢＳＳ）は、ＷＬＡＮの基本要素（building-block）を提供し得る。簡単なＢＳＳは、関連するすべてのデバイス、しばしば局（ＳＴＡ）と称される、と一緒に単一のＡＰを含み得る。これらのアクセスポイントは、そのＢＳＳ内の局を制御するために、マスタとして働き得る。
【０００５】
[0005]同様に、ＮａＮは、ＷＬＡＮの基本要素を提供し、ＮａＮに関連するある局とのネットワーク通信、またはＮＡＮと接続するためのアプリケーションを走らせ得る局とのネットワーク通信を提供し得る。ＮａＮは、関連するデバイスと一緒に１つまたは複数のＡＰを含み得る。ＮａＮはまた、１つまたは複数のマスタを含み得、それは、例えば（Ｐ２Ｐとして知られている）Ｗｉ−Ｆｉダイレクトのような、専用ＡＰを通じて接続せずに、他の局との直接接続を通じてマスタデバイスとして働く局を含み得る。いくつかの展開では、ＮａＮは、アンカーマスタデバイスと、１つまたは複数の他のマスタデバイスとを含み得る。アンカーマスタデバイスは、固定されたロケーションに位置し、１つまたは複数の他のマスタデバイスは、例えば、ポータブルであり、バッテリー駆動式のデバイスであり得る。
【０００６】
[0006]例えば、ＮａＮ  ＡＰまたはマスタデバイスとの接続を確立するのに使用される情報は、例えば、ＮａＮクラスタのための同期およびタイミング情報を含み得る。新規デバイスがＮａＮのエリア内に来るにつれて、この情報の通信は、比較的頻繁に利用され得る。比較的に早くそして効率的に、接続情報の通信を提供することが望まれ得ると同時に、ＮａＮのデバイスにわたる接続情報の通信に関して比較的に低消費電力を有することも望まれ得る。
【発明の概要】
【０００７】
[0007]記述された例は、ＮａＮ情報が比較的早くそして効率的なやり方で要求され提供され得る、ＮａＮにおける通信のためのシステム、方法、および装置に対して向けられる。いくつかの態様に従って、ワイヤレス通信ネットワークにおける局のような、ワイヤレス通信デバイスは、ＮａＮに関する情報を求める、アクティブプローブ要求を送信し得る。アクティブプローブ要求は、ＮａＮ特有のプローブ要求であり得る、ＮａＮデバイス以外のワイヤレスネットワーク情報のためのアクティブスキャンの一部として（例えば、ＢＳＳ中のＡＰのためのスキャンの一部として）局から送信され得る。ＮａＮのマスタデバイスおよびＡＰは、プローブ要求を受信し、ＮａＮ発見応答を生成し得る。それは、要求デバイスがＮａＮ中のデバイスに結合するために使用し得る情報を含み得る。
【０００８】
[0008]ワイヤレス通信のための方法は、近隣エリアネットワーク（ＮａＮ）発見情報を受信すること、ＮａＮ発見情報は、求められていないビーコン中で、またはプローブ要求に応じて受信され得る、と、ワイヤレス通信ネットワークにおけるＮａＮデバイスへの接続する際に使用するためのＮａＮ発見情報のサブセットを識別することとを含み得る。方法は、プローブ要求を送信することを含み、ＮａＮ発見情報を受信することは、プローブ要求を受信することに応じる。プローブ要求は、ＮａＮ発見要素を含み得る。ＮａＮ発見情報を得ることは、プローブ応答、ビーコン信号、および応答パブリックアクションフレームから成るグループのうちの少なくとも１つにおいてＮａＮ発見情報を受信することを含み得る。ＮａＮ発見情報は、ＮａＮクラスタ情報およびＮａＮデバイス情報から成るグループから選択された情報を含み得る。ＮａＮ発見情報のサブセットを識別することは、ＮａＮクラスタ情報に基づくＮａＮデバイスの発見タイミングまたは同期ビーコンタイミングのうちの１つまたは複数を決定することを含み得る。
【０００９】
[0009]プローブ要求は、ＮａＮデバイス以外のワイヤレスネットワークインフラストラクチャのためのアクティブスキャンの一部として送信され得る。ワイヤレスネットワークインフラストラクチャは、例えば、ピアツーピア（Ｐ２Ｐ）デバイス、ソフトアクセスポイントデバイス、独立した基本サービスセット（ＩＢＳＳ）デバイス、メッシュデバイス、または局（ＳＴＡ）デバイスを含み得る。プローブ要求がこれらのデバイスのうちの１つによって送られる場合、プローブ要求を送るデバイスは、ＮａＮデバイスと一緒に配置され、プローブ要求は、ＮＡＮ発見情報を含み得る。情報を受信することは、ＮａＮデバイス、またはワイヤレス通信ネットワークの別のネットワークエレメントのうちの１つまたは複数からＮａＮ発見情報受信することを含み得る。
【００１０】
[0010]ワイヤレス通信のための装置は、近隣エリアネットワーク（ＮａＮ）発見情報を受信する受信機、ＮａＮ発見情報は、求められていないビーコン中で、またはプローブ要求に応じて受信される、と、ワイヤレス通信ネットワークにおけるＮａＮデバイスに接続する際に使用するためのＮａＮ発見情報のサブセットを識別するプロセッサとを含み得る。装置は、プローブ要求を送信するために送信機を含み得、受信機は、プローブ要求の受信することに応じてＮａＮ発見情報を受信する。プロセッサ、受信機、および送信機は、以上で記述された方法の１つまたは複数の態様を実装し得る。
【００１１】
[0011]ワイヤレス通信ネットワークにおける近隣エリアネットワーク（ＮａＮ）デバイスでのワイヤレス通信のための方法は、ＮａＮ発見情報がプローブ要求に応答して送信されるかどうかを決定することと、決定に応答してＮａＮ発見情報を送信することとを含み得る。方法は、局からのプローブ要求を受信することをさらに含み、ＮａＮ発見情報を送信することは、プローブ要求の受信に応じ得る。プローブ要求は、ＮａＮデバイス以外のワイヤレスネットワークインフラストラクチャのためのアクティブスキャンの一部として送信され得る。ＮａＮデバイス以外のワイヤレスネットワークインフラストラクチャは、Ｐ２Ｐデバイス、ソフトアクセスポイントデバイス、ＩＢＳＳデバイス、メッシュデバイス、およびＳＴＡデバイスから成るグループのうちの少なくとも１つを含み得る。プローブ要求がこれらのデバイスのうちの１つによって送られる場合、プローブ要求を送るデバイスは、ＮａＮデバイスと一緒に配置され、プローブ要求は、ＮＡＮ発見情報を含み得る。ＮａＮ発見情報は、ＮａＮクラスタ情報およびＮａＮデバイス情報から成るグループのうちの１つであり得る。
【００１２】
[0012]ＮａＮ発見情報が送信されるかどうかを決定することは、プローブ要求がＮａＮ発見要素を含むかどうかを決定することと、ＮａＮ発見情報を備えるビーコン信号の次のスケジュールされた送信がいつ生じるかを決定することと、次のスケジュールされた送信までの時間がしきい値時間期間を超過する場合に、ＮａＮ発見情報が送信されると決定することと、ＮａＮ発見情報が送信された後の経過時間を決定することと、または経過時間がしきい値経過時間期間を超える場合にＮａＮ発見情報が送信されると決定することとを含み得る。
【００１３】
[0013]ＮａＮ発見情報は、プローブ応答メッセージ、ビーコン信号メッセージ、および発見応答パブリケーションアクションフレームから成るグループからのメッセージ中で送信される。プローブ応答は、たとえば、ＮａＮクラスタ情報を持つパブリックアクションフレームを含み得る。ＮａＮ発見情報が送信されるかどうかを決定することは、別のＮａＮデバイスがプローブ要求に対するＮａＮ発見情報応答を送信した場合に、ＮａＮ発見情報の送信がスキップされることになると決定することを含み得る。
【００１４】
[0014]ワイヤレス通信ネットワークにおける近隣エリアネットワーク（ＮａＮ）デバイスでのワイヤレス通信のための装置は、ＮａＮ発見情報がプローブ要求に応答して送信されるかどうかを決定するプロセッサと、決定に応答してＮＡＮ発見情報を送信する送信機とを含み得る。方法は、プローブ要求を受信する受信機をさらに含み得、送信機は、プローブ要求を受信することに応答してＮａＮ発見情報を送信する。ＮａＮ発見情報は、ＮａＮクラスタ情報またはＮａＮデバイス情報を含み得る。プロセッサ、受信機、または送信機は、以上記述された対応する方法のうちの１つまたは複数の態様を実装するように構成され得る。
【００１５】
[0015]前述のものは、以下の詳細な説明がより良く理解されうるように、本開示による例の特徴および技術的利点をどちらかといえば広く概説している。追加の特徴および利点が以下に説明されることになる。開示される概念および特定の例は、本開示と同じ目的を実行するための他の構造を修正または設計するための基礎として容易に利用され得る。このような均等な構造は、添付の特許請求の範囲の趣旨および範囲から逸脱しない。関連する利点と共に、ここに開示される概念の構成および動作の方法の両方に関して、それら概念の特徴であると考えられる特徴は、添付の図面と関連して考慮されるとき、以下の説明からより良く理解されるであろう。図の各々は、特許請求の範囲の限定の定義としてではなく、例示および説明のみの目的で提供される。
【図面の簡単な説明】
【００１６】
[0016]本発明の本質および利点のさらなる理解は、以下の図面を参照することによって十分に理解され得る。添付された図では、同様の構成要素または特徴は、同じ参照ラベルを有し得る。さらに、同じタイプの様々な構成要素は、ダッシュ記号による参照ラベルと、同様の構成要素同士を区別する第２のラベルとを続けることによって区別されうる。第１の参照ラベルのみが明細書において使用される場合、その説明は、第２の参照ラベルにかかわりなく、同じ第１の参照ラベルを有する同様の構成要素のうちの任意の１つに適用可能である。
【図１】様々な例に従うワイヤレスローカルエリアネットワーク（ＷＬＡＮ）の例を説明する図。
【図２Ａ】様々な例に従うＮＡＮクラスタの例を説明する図。
【図２Ｂ】様々な例に従う別のＮＡＮクラスタの例を説明する図。
【図３】様々な例に従うＮａＮ発見および接続の例を説明するフローチャート。
【図４】様々な例に従うＮａＮ発見プローブ受信および応答の例を説明するフローチャート。
【図５Ａ】様々な例に従うワイヤレス通信におけるＮａＮ実装のためのデバイス（例えば、局またはアクセスポイント）の例を説明する図。
【図５Ｂ】様々な例に従うワイヤレス通信におけるＮａＮ実装のためのデバイス（例えば、局またはアクセスポイント）の例を説明する図。
【図５Ｃ】様々な例に従うワイヤレス通信におけるＮａＮ実装のためのデバイス（例えば、局またはアクセスポイント）の例を説明する図。
【図６】様々な例に従う局アーキテクチャの例を説明するブロック図。
【図７】様々な例に従うマスタデバイスアーキテクチャの例を説明するブロック図。
【図８】様々な例に従うアクセスポイントアーキテクチャの例を説明するブロック図。
【図９】様々な例に従うＮａＮプローブ要求送信および応答のための方法の例のフローチャート。
【図１０】様々な例に従うＮａＮプローブ要求送信および応答のための方法の例のフローチャート。
【図１１】様々な例に従うＮａＮプローブ要求送信および応答のための方法の例のフローチャート。
【図１２】様々な例に従うＮａＮプローブ要求送信および応答のための方法の例のフローチャート。
【発明の詳細な説明】
【００１７】
[0027]記述された例は、近隣エリアネットワーク（ＮａＮ）情報が比較的速くそして効率的な方法で要求され提供され得る、ワイヤレス通信のための方法、デバイス、および装置に向けられる。いくつかの態様に従って、ワイヤレス通信ネットワークにおける局のような、ワイヤレス通信デバイスは、ＮａＮに関連する情報を求めるために、アクティブプローブ要求を送信し得る。アクティブプローブ要求は、ＮａＮ特有のプローブ要求であり得る、またはＮａＮデバイス以外のワイヤレスネットワークインフラストラクチャの一部として（例えば、ＢＳＳにおけるＡＰのためのスキャンの一部として）、局から送信され得る。ＮａＮのマスタデバイスまたはＡＰは、プローブ要求を受信し、ＮａＮ発見応答を生成し得、要求デバイスがＮａＮにおけるデバイスへの接続のために使用し得る情報を含み得る。
【００１８】
[0028]ＮａＮにおけるワイヤレス通信のために本明細書に記述される様々な技術は、ＷＬＡＮまたはＷｉ−Ｆｉネットワークに関連して記述され、それらのうちのいくつかは、ピアツーピア構成において動作し得る。ＷＬＡＮまたはＷｉ−Ｆｉネットワークは、様々なＩＥＥＥ８０２．１１規格（例えば、８０２．１１ａ／ｇ、８０２．１１ｎ、８０２．１１ａｃ、８０２．１１ａｈ、等）において記述されるプロトコルに基づくネットワークを指し得る。しかしながら、同じまたは同様の技法はまた、任意のワイヤレスネットワーク（例えば、セルラネットワーク）中で使用され得る。例えば、同じまたは同様の技法は、セルラワイヤレスシステム、ピアツーピアワイヤレス通信、アドホックネットワーク、衛星通信システム、およびその他のシステムのような、様々な他のワイヤレス通信システムのために使用され得る。用語「システム」および「ネットワーク」は、しばしば交換可能に使用される。これらワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）のような様々なワイヤレス通信技術、および／または他の無線技術を用い得る。概して、ワイヤレス通信は、無線アクセス技術（ＲＡＴ）と呼ばれる１つまたは複数の無線通信技術の標準化された実装に従って実施される。無線アクセス技術を実装するワイヤレス通信システムまたはネットワークは、無線アクセスネットワーク（ＲＡＮ）と呼ばれ得る。
【００１９】
[0029]ＣＤＭＡ技術を用いる無線アクセス技術の例えば、ＣＤＭＡ２０００、ユニバーサルテレストリアルラジオアクセス（ＵＴＲＡ）等、を含む。ＣＤＭＡ２０００は、ＩＳ−２０００、ＩＳ−９５、およびＩＳ−８５６規格をカバーする。ＩＳ−２０００リリース０およびＡは、一般的に、ＣＤＭＡ２０００ １Ｘ、１Ｘ等と称される。ＩＳ−８５６（ＴＩＡ−８５６）は、一般的に、ＣＤＭＡ２０００ １ｘＥＶ−ＤＯや、高速パケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムの例は、グローバルシステムフォーモバイルコミュニケーション（ＧＳＭ（登録商標））の様々な実装を含む。ＯＦＤＭまたはＯＦＤＭＡを用いる無線アクセス技術の例は、ウルトラモバイルブロードバンド（ＵＭＢ）、発展型ＵＴＲＡ（Ｅ−ＵＴＲＡ）、ＩＥＥＥ ８０２．１６（ＷｉＭＡＸ）、ＩＥＥＥ ８０２．２０、フラッシュ−ＯＦＤＭＡ、等を含む。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ（登録商標））およびＬＴＥ−アドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書内において記述される。ＣＤＭＡ２０００およびＵＭＢは、「第３世代パートナーシッププロジェクト２」（３ＧＰＰ２）という名称の団体からの文書内において記述される。本明細書に記述される技法は、他のシステムおよび無線技術と同様に、上述されたシステムおよび無線技術のために使用され得る。
【００２０】
[0030]したがって、以下の記述は、例を提供するものであり、請求項において説明される範囲、適用性、あるいは構成を限定するものではない。本開示の精神および範囲から逸脱することなく、説明される要素の機能および配置において変更がなされ得る。様々な例は、必要に応じて、様々なプロシージャまたは構成要素を省略、代用、または追加し得る。例えば、記述される方法は、記述されるものとは異なる順序で実行され得、様々なステップが追加、省略、または組み合わされ得る。さらに、特定の例に関連して説明される特徴は、他の例において結合されうる。
【００２１】
[0031]図１は、ＷＬＡＮまたはＷｉ−Ｆｉネットワークの例を含む図１００を示す。アクセスポイント（ＡＰ）１０５（つまり、ネットワークデバイス）は、クライアントデバイス１１５と共に、ＩＥＥＥ  ８０２．１１ネットワークのような、ワイヤレスローカルエリアネットワークを生成し得る。ワイヤレス局、局、またはＳＴＡとも称されるクライアントデバイス１１５は、ＷＬＡＮのカバレージエリア１２０内に分散される、または展開され得る。局１１５の各々は、ＡＰ１０５のうちの１つと（通信リンク１２５を使用して）結合し、通信し得る。各ＡＰ１０５は、そのエリア内の局１１５が典型的にＡＰ１０５と通信することができるような、カバレージエリア１２０を有する。図１中に示されるように、局１１５は、１つのＡＰ１０５より多くのＡＰによってカバーされ、したがって、どれがより適切な接続を提供するかによって、異なる時間で異なるＡＰと結合することができる。互いと通信する局１１５のセットは基本サービスセット（ＢＳＳ）と称され得る。拡張サービスセット（ＥＳＳ）は、接続されたＢＳＳのセットであり、分散システム（ＤＳ）（図示せず）は、拡張サービスセット中の接続アクセスポイントに利用され得る。
【００２２】
[0032]いくつかの実例では、ＡＰ１０５のサブセットまたは局１１５のうちのいくつかは、近隣エリアネットワーク（ＮａＮ）を確立するために、互いに接続し得る。例えば、ＮａＮは、比較的小さな地理的エリアにおけるネットワーク通信のために確立され得る。いくつかの展開では、ＮａＮは、あるデバイス、またはあるアプリケーションを走らせているデバイスに向けられた通信を提供し得る。デバイス、またはアプリケーションは、局１１５にＮａＮへと接続しようとさせ得る。いくつかの場合では、いくつかの局１１５は、ピアツーピアネットワーク（例えばＷｉ−Ｆｉダイレクトマルチクライアントネットワーク）の確立を通じて、ＡＰ１０５を含まないＮａＮを形成し得る。このタイプのネットワークまたはグループでは、局（クライアント）のうちの１つは、グループのためのアクセスポイントとして動作し、典型的にマスタと称され得る。局のうちの１つは、アンカーマスタとして動作し、１つまたは複数の他の局は、マスタとして動作し得る。以下に記述される図２−図１１は、ＮａＮの様々な態様に追加の詳細な説明を提供し、１つまたは複数のＮａＮデバイスと局１１５を接続する際に使用するためのＮａＮ情報を要求／提供する。
【００２３】
[0033]図２Ａを参照して、ＮａＮクラスタと称され得る、ワイヤレス通信システム２００は、通信リンク２２５を使用してＡＰ１０５−ａと通信する、ＮａＮ内に構成される複数の局１１５ａを説明することが示される。この例では、要求デバイス１１５−ｂは、ＮａＮクラスタ２００中のデバイスと接続することを望み、通信リンク２２５−ａを使用して、ＮａＮプローブ要求を送信し得る。局１１５−ａおよび局１１５−ｂは、図１の局１１５の例であり得る。同様に、ＡＰ１０５−ａは、図１のＡＰ１０５の例であり得る。
【００２４】
[0034]ＡＰ１０５−ａ（または他のＮａＮデバイス１１５−ａ）と接続するためのＮａＮ情報は、ＡＰ１０５−ａからＮＡＮ発見ビーコン中に周期的に送信され得る。このタイプの展開では、ＮａＮスキャンは、受動であり、要求デバイス１１５−ｂは、ＮａＮ発見ビーコンのためのチャネルをモニタする。ＡＰ１０５−ａは、例えば確立されたＷｉ−Ｆｉシステムにおけるチャネル６のような、ワイヤレス通信システム２００によって使用される無線周波数スペクトル中の事前定義されたチャネルを使用して、２００ミリセカンド（ｍｓ）毎に一度、ＮａＮ発見ビーコンを送信し得る。そのような展開では、要求デバイス１１５−ｂは、ＮａＮ発見ビーコンを受信するために、２００ｍｓの間、識別されたチャネルをモニタしなければならない。更に、例えばノイジーな環境中のような、いくつかの場合における要求デバイス１１５−ｂは、ビーコン送信を確実に受信できず、これは、ビーコン信号を検出するよう試みるために追加でモニタする結果となる。要求デバイス１１５−ｂがポータブルであるような、バッテリー駆動式の、デバイスは、追加でモニタすることのために使用される時間期間を低減することが望ましい。更に、いくつかの場合では、要求デバイス１１５−ｂは、複数のＮａＮのためにモニタし、従って、複数のＮａＮのためにモニタすることに関連するさらなる遅延および電力消費を追加することになる。
【００２５】
[0035]ＮａＮ発見ビーコンに加えて、アクティブスキャンは、１つまたは複数のＮａＮデバイスを検出しこれらに接続するために使用され得る。アクティブスキャンは、通信リンク２２５−ａを使用して、要求デバイス１１５−ｂによるＮａＮプローブ要求の送信を含み得る。ＡＰ１０５−ａは、要求デバイス１１５−ｂからのＮａＮプローブ要求を受信することに応じてＮａＮ発見応答を送信し得る。以下に詳細に記述されることになるような、ＮａＮ発見応答は、ＮａＮクラスタ中の１つまたは複数のＮａＮデバイス１１５−ａまたはＡＰ１０５−ａと接続するための情報を含み得る。
【００２６】
[0036]ワイヤレス通信システム２００は、ソフトＡＰ、ＩＢＳＳ、またはメッシュベースのネットワークと一緒にコンカレントＮａＮを提供し、従って、ＡＰ１０５−ａにアクセスしようとする、要求デバイス１１５−ｂのような、要求デバイスは、他のネットワークにアクセスを獲得するためにプローブ要求を使用してアクティブスキャンを試みる必要があるだろう。したがって、ＮａＮアクセスを求める要求デバイス１１５−ｂは、ソフトＡＰ、Ｐ２Ｐ、ＩＢＳＳ、またはメッシュベースのネットワークへのアクセスのための既存のプローブ要求を持つＮａＮ能力情報を含み得る。他の例では、スタンドアロンＮａＮプローブ要求は、ソフトＡＰ、Ｐ２Ｐ、ＩＢＳＳ、またはメッシュベースのネットワークの既存のプローブ要求として、同様の構造および情報を有する要求デバイス１１５−ｂから送信され得る。述べられたように、ＡＰ１０５−ａは、ＮａＮプローブ要求を受信し、ＮａＮプローブ要求を受信することに応じて、ＮａＮ発見応答を送信し得る。要求デバイス１１５−ｂに加えて、他のデバイス１１５−ａ（またはＮａＮアクセスを望む、示されていない他のデバイス）は、ＮａＮ発見応答を受信するので、他のやり方でＡＰ１０５−ａからのＮａＮ発見ビーコンを検出しなければならない、全時間期間の間、識別されたチャネルをモニタする必要がなく、したがって、ＮａＮプローブ要求への周期的な応答は、全体として、システム２００の電力消費を低減するのを支援し得る。
【００２７】
[0037]ＮａＮ発見応答は、ワイヤレス接続を確立するためのＡＰ１−５−ａに関する詳細（例えば、同期情報、デバイス名、ＭＡＣアドレス、グループ性能、動作チャネル、およびリッスンチャネル）を、要求デバイス１１５−ｂ（または関連するＮａＮデバイス１１５−ａ）に示す多数の情報要素を含み得る。いくつかの事例では、ＡＰ１０５−ａは、スキャン時間／ＮａＮ再開時間を低減するためにリッスンチャネルとして使用されるチャネル６（ＣＨ６）を示し得る。
【００２８】
[0038]図２Ｂを参照して、ＮａＮクラスタと称され得る、別のワイヤレス通信システム２５０は、ＮａＮにおいて構成され、通信リンク２２５を使用してＮａＮマスタ１１５−ｄと通信する複数の局１１５ｃを説明することが示される。この例では、要求デバイス１１５−ｅは、ＮａＮクラスタ２５０へのアクセスを求め、通信リンク２２５−ｂを使用してＮａＮプローブ要求を送信し得る。局１１５−ｃ、局１１５−ｄ、および局１１５−ｅは、図１または図２Ａの局１１５の例であり得る。
【００２９】
[0039]図２Ｂの例では、ＮａＮマスタ１１５−ｄは、図２ＡにおけるＡＰ１０５−ａに関連して以上で記述されるような同様の機能を実行し得る。より具体的には、ＮａＮマスタ１１５−ｄ（または他のＮａＮデバイス１１５ｃ）は、ＮａＮ発見ビーコンを周期的に送信し得る。例えば、発見ビーコンは、通信リンク２３０を使用して、別のマスタデバイス１１５−ｓから送信され得る。以上で議論されるのと同様に、要求デバイス１１５−ｅは、１つまたは複数のＮａＮデバイスを検出しそれらに接続するために、アクティブスキャンを使用し得る。アクティブスキャンは、通信リンク２２５−ｂまたは通信リンク２３０を使用する、要求デバイス１１５−ｅによるＮａＮプローブ要求の送信を含みうる。以上で議論されるように、ＮａＮマスタ１１５−ｄ（または他のマスタデバイス）は、ＮａＮプローブ要求を受信することに応じてＮａＮ発見応答を送信し得る。ＮａＮマスタ１１５−ｄ（または他のマスタデバイス）がバッテリー駆動式であり得る状況では、デバイス１１５−ｄは、別のデバイスが、ＮａＮ発見応答を送信する前に、ＮａＮプローブ要求に応答しないと決定し得る。以下でより詳細に記述されることになるように、ＮａＮ発見応答は、ＮａＮクラスタ２５０における１つまたは複数の他のＮａＮデバイスまたはＮａＮマスタ１１５−ｄと接続するための情報を含み得る。
【００３０】
[0040]ワイヤレス通信システム２５０は、ソフトＡＰ、Ｐ２Ｐ、ＩＢＳＳ、またはメッシュベースのネットワークと一緒にコンカレントＮａＮを提供し、従って、要求デバイス１１５−ｅのような、要求デバイスは、他のネットワークタイプへのアクセスのためのプローブ要求を使用してアクティブスキャンを試みることになるだろう。したがって、ＮａＮアクセスを求める要求デバイス１１５−ｅは、ソフトＡＰ、Ｐ２Ｐ、ＩＢＳＳ、またはメッシュベースのネットワークへのアクセスのための既存のプローブ要求を持つＮａＮ能力情報を含み得る。他の例では、スタンドアロンＮａＮプローブ要求は、ソフトＡＰ、Ｐ２Ｐ、ＩＢＳＳ、またはメッシュベースのネットワークのための既存のプローブ要求と同様の構造および情報を有する、要求デバイス１１５−ｅから送信され得る。述べられるように、ＮａＮマスタ１１５−ｄは、ＮａＮプローブ要求を受信し、ＮａＮプローブ要求を受信することに応じてＮａＮ発見応答を送信し得る。同様に、以上で記述されるように、要求デバイス１１５−ｅに加えて、他のデバイス１１５−ｃ（またはＮａＮアクセスを望む、示されていない他のワイヤレスアクセス）は、ＮａＮ発見応答を受信し、従って、さもなければＮａＮマスタ１１５−ｄからのＮａＮ発見ビーコンを検出しなければならない、完全な時間期間の間、識別されたチャネルをモニタする必要がなく、ＮａＮプローブ要求への周期的な応答が全体としてシステム２５０の電力消費を低減するのを支援し得る。例えば、ＮａＮ発見応答は、以上で記述されるように、多数の情報要素を含み得る。
【００３１】
[0041]図３は、様々な例にしたがう、ＮａＮにおけるワイヤレス通信のための方法３００の例を説明するフローチャートである。明瞭さのために、方法３００は、図１、図２Ａ、図２Ｂ、図５Ａ、図５Ｂ、図５Ｃ、図６、図７、または図８において示される、局、デバイス、ＡＰ１０５、ＡＰ１１５、またはＡＰ５０５のうちの１つに関して記述される。１つの例では、局のうちの１つは、以下で記述される機能を実行するために、局の機能要素を制御する１つまたは複数のコードのセットを実行し得る。
【００３２】
[0042]ブロック３０５で、デバイス（例えば、ＷＬＡＮ中で動作する局）は、ＮａＮデバイス発見を開始し得る。例えば、デバイスは、ＷＬＡＮのカバレージエリアに入ることと、１つのＮａＮ、または複数のＮａＮの利用可能性を決定しようとすることとに応じてＮａＮデバイス発見を開始する。デバイスは、関連するＮａＮの利用可能性を決定しようとし得る、１つまたは複数のＮａＮに関連したアプリケーションを走らせ得る。例えば、デバイスのユーザは、様々な異なるＮａＮを通じてエンハンストネットワーク接続または特有のコンテンツを提供し得るサービスに加入され得、デバイスは、１つまたは複数のＮａＮが利用可能であるかどうかを決定しようとし得る。
【００３３】
[0043]ブロック３１０で、デバイスは、ＮａＮプローブ要求を送信する。いくつかの例にしたがって、例えば、プローブ要求は、要求デバイスに関連する情報およびデバイスのＮａＮ能力を提供し得る、ＮａＮ発見要素を含み得る。この場合では、プローブ要求を受信するＮａＮデバイスはまた、プローブ要求を送信するデバイスのＮａＮ能力を決定し得る。
【００３４】
[0044]プローブ要求は、ＮａＮデバイス以外のワイヤレスネットワークインフラストラクチャのためのアクティブスキャンの一部として送信され得る。例えば、ワイヤレスネットワークインフラストラクチャは、ピアツーピア（Ｐ２Ｐ）デバイス、ソフトアクセスポイントデバイス、独立した基本サービスセット（ＩＢＳＳ）デバイス、またはメッシュデバイスのうちの１つまたは複数を含みうる。他のワイヤレスネットワークインフラストラクチャデバイスは、これらのデバイスのために確立されたプローブ要求を含む、アクティブスキャン通じて接続され得る。他のワイヤレスネットワークインフラストラクチャデバイスのための既存のプローブ要求は、プローブ要求を送るデバイスのＮａＮ属性を含み得る、１つまたは複数の情報要素を含むように修正され得る。
【００３５】
[0045]ＮａＮ属性を含むプローブ要求の受信の後で、ＮａＮデバイスは、プローブ要求に応答し、ＮａＮ情報、または他のワイヤレスネットワークインフラストラクチャデバイスに関連する情報を含み得る。例えば、ＮａＮアンカーマスタは、第１の事前決定された持続期間（例えば、２０ｍｓ）の間、発見ビーコンを送信せず、第２の事前決定された持続期間（例えば、２０ｍｓ）の間、発見ビーコンを送信するようにはスケジュールされていない場合に、発見ビーコンを送信することによって返答し得る。同様に、ＮａＮマスタデバイスは、同様のやり方で返答し得る。多くの展開では、ＮａＮクラスタにおいて比較的少ない数のマスタがあり、マスタデバイスでないすべてのデバイスは、追加の発見ビーコンの利益を得るので、全システムにおける電力を節約する。ＮａＮ属性を含んでいないプローブ要求は、ＮａＮデバイスによって無視され得る。いくつかの例にしたがって、ＮａＮ属性は、プローブ要求中に埋め込まれた１つまたは複数のベンダー特有の要素として含まれ得る。他の例では、ＮａＮ特有の情報要素は、プローブ要求中に含まれ得る。
【００３６】
[0046]ブロック３１５で、デバイスは、ＮａＮ発見応答が受信されるかどうかを決定するために、応答チャネルをモニタし得る。特有のチャネルは、ＮａＮ発見応答のためにモニタするために使用され得る。例えば、Ｗｉ−Ｆｉチャネル６は、応答のためにモニタされ、このチャネルはまた、周期的にＮａＮビーコン送信のために使用され得るチャネルに対応し得る。従って、プローブ要求を受信するデバイスは、例えば、ＮａＮビーコン送信に対して、応答し得る。他の例では、ＮａＮビーコン送信のためのタイミング情報または同期情報を含み得る、またはＮａＮデバイスとの接続を確立するための他の情報を含み得る、別個のＮａＮ発見応答が送信され得る。
【００３７】
[0047]ブロック３２０で、応答が受信されるかどうかが決定される。応答が受信されない場合、ブロック３１０の動作は、プローブ要求を再び送信するように実行される。タイムアウト期間が終了するまで、または応答が受信されるまで、これらの動作は、継続し得る。
【００３８】
[0048]ブロック３２０で応答が受信される場合、ブロック３２５で示されるように、デバイスは、ＮａＮクラスタのＮａＮデバイスに接続する際に使用するための情報を決定し得る。情報は、例えば、ＮａＮビーコン送信のための発見タイミング情報または同期ビーコンタイミング情報を含み得る、またはＮａＮデバイスと接続を確立するための他の情報を含み得る、ＮａＮクラスタ情報を含み得る。
【００３９】
[0049]ブロック３３０で、デバイスは、ＮａＮデバイスとの接続を開始する。接続は、ＮａＮ関連情報を通信する、またはＮａＮを通じてデバイスにネットワーク接続を提供するために使用され得る。
【００４０】
[0050]図４は、様々な例に従う、ＮａＮにおけるワイヤレス通信のための方法４００の例を説明するフローチャートである。明瞭さのために、方法４００は、ＡＰ、局、デバイス、または図１、図２Ａ、図２Ｂ、図５Ａ、図５Ｂ、図５Ｃ、図６、図７、あるいは図８において示されるＡＰ１０５、ＡＰ１１５、またはＡＰ５０５のうちの１つに関連して記述される。１つの例では、局またはＡＰのうちの１つは、以下に記述される機能を実行する局またはＡＰの機能要素を制御する１つまたは複数のコードのセットを実行し得る。
【００４１】
[0051]ブロック４０５で、ＮａＮプローブ要求が受信される。プローブ要求は、ＮａＮデバイス以外のワイヤレスネットワークインフラストラクチャのためのアクティブスキャンの一部として送信され得る。ワイヤレスネットワークインフラストラクチャは、例えば、ピアツーピア（Ｐ２Ｐ）デバイス、ソフトアクセスポイントデバイス、独立基本サービスセット（ＩＢＳＳ）デバイス、またはメッシュデバイスのうちの１つまたは複数を含み得る。他の非ＮａＮデバイスの既存のプローブ要求は、プローブ要求を送るデバイスのＮａＮ属性を含み得る、１つまたは複数の情報要素を含むように修正され得る。
【００４２】
[0052]ブロック４１０で、ＮａＮ発見応答がプローブ要求に応答して送信されるかどうかが決定される。発見応答が送信されない場合、プロセスは、ブロック４２０に進み、終了し、そうでなければ、プロセスは、ブロック４１５に進む。ＮａＮ発見応答が送信されるかどうかを決定することは、プローブ要求がＮａＮ発見要素を含むかどうかを決定することを含み得る。決定は、ＮａＮ発見情報を含むビーコン信号の次のスケジュールされた送信がいつ生じるかを決定することと、次のスケジュールされた送信までの時間がしきい値時間期間（例えば、２０ｍｓ）を超える場合にＮａＮ発見応答が送信されると決定することを通じて行われ得る。他の例では、決定は、ＮａＮ発見情報が最後に送信されるまでの経過時間を決定することと、経過時間がしきい値経過時間期間（例えば、２０ｍｓ）を超える場合にＮａＮ発見応答が送信されるかどうかを決定することとを通じて行われ得る。
【００４３】
[0053]ブロック４１５で、ＮａＮ発見応答は、プローブ要求に応答して送信される。ＮａＮ発見応答は、以上で記述されるのと同様に、スタンドアロン応答またはＮａＮビーコン信号であり得る。以上で述べられるように、２つ以上のＮａＮマスタデバイスがＮａＮクラスタ中に存在し得る。この場合では、ＮａＮデバイスは、別のＮａＮデバイスがプローブ要求に応答してＮａＮ発見応答を送信したと決定し得、この場合、さらなる送信が生じない。
【００４４】
[0054]ＮａＮ発見応答は、「ＮａＮ発見応答」と称されるパブリックアクションフレームを含み、ほとんどまたは完全にＮａＮクラスタ情報を有するとして定義され得る。応答は、９バイトおよび１３バイトの情報要素中のＮａＮクラスタ情報に続いて、例えば、２６バイトの８０２．１１ヘッダを含み得る。ＮａＮクラスタ情報は、例えば、同期ビーコンおよび発見タイミングを識別するために、要求デバイスによって使用され得る情報を含み得る。ブロック４１５に続いて、動作は、ブロック４２０で示されるように、完了する。
【００４５】
[0055]図５Ａは、ＮａＮプローブ要求または応答をサポートするワイヤレス通信における使用のためのデバイス５０５を有する図５００を示す。デバイス５０５は、図１、図２Ａ、図２Ｂ、図６、図７、または図８に関連して記述される局１１５またはＡＰ１０５のうちの１つの、１つまたは複数の態様の例であり得る。デバイス５０５、またはその一部はまた、プロセッサであり得る。デバイス５０５は、受信機５１０、ＮａＮ接続マネージャ５２０、または送信機５３０を含み得る。これらの構成要素の各々は、互いに通信し得る。
【００４６】
[0056]受信機５１０はまた、ＲＦ受信機である、またはＲＦ受信機を含み得る。ＲＦ受信機は、異なる帯域のための別個の受信機を含み得る。例えば、ＲＦ受信機は、１つまたは複数のＷｉ−Ｆｉ帯域（例えば２．４ＧＨｚ、５ＧＨｚ）における送信を受信するように動作可能な受信機（つまり、無線またはモデムの一部）を含み得る。受信機５１０は、図１、図２Ａ、または図２Ｂに関連して記述されたＷＬＡＮまたはＷｉ−Ｆｉネットワークの１つまたは複数の通信リンクのような、ワイヤレス通信システムの１つまたは複数の通信リンクにわたる様々なタイプのデータまたは制御信号（つまり送信）を受信するように使用され得る。
【００４７】
[0057]送信機５３０は、ＲＦ送信機である、またはＲＦ送信機を含み得る。ＲＦ送信機は、異なる帯域のための別個の送信機を含み得る。例えば、ＲＦ送信機は、１つまたは複数のＷｉ−Ｆｉ帯域（例えば、２．４ＧＨｚ、５ＧＨｚ）において送信するように動作可能な送信機（つまり、無線またはモデムの一部）を含み得る。送信機５３０は、図１、図２Ａ、または図２Ｂに関連して記述されたＷＬＡＮまたはＷｉ−Ｆｉネットワークの１つまたは複数の通信リンクにわたる様々なタイプのデータまたは制御信号（つまり、送信）を送信するように使用され得る。
【００４８】
[0058]ＮａＮ接続マネージャ５２０は、ＮａＮプローブ要求を送信する、または受信機５１０通じてＮａＮ発見応答を送信するように構成される、または図１−４に関連して以上で議論されるのと同様に、または図６−１０に関連して以下で議論されるような技術にしたがってＮａＮプローブ要求またはＮａＮ発見応答を実行するように構成され得る。
【００４９】
[0059]デバイス５０５のこれらの構成要素は、ハードウェアにおける適用可能な機能のうちのいくつかまたはすべてを実行するように適合される特定用途向けＩＣ（ＡＳＩＣ）と個別にまたは共同で実装され得る。代替として、機能は、１つまたは複数の集積回路上で、１つまたは複数の他の処理ユニット（またはコア）によって実行され得る。他のタイプの集積回路（例えば、ストラクチャード／プラットフォームＡＳＩＣ、フィールドプログラマブルゲートアレイ（ＦＰＧＡ、および他のセミ−カスタムＩＣ）が使用され得、それは、当業者において任意の既知の方法でプログラムされ得る。各ユニットの機能はまた、全体的にまたは一部分において、メモリ中に組み入れられ、１つまたは複数の汎用またはアプリケーション特有のプロセッサによって実行されるようにフォーマットされた命令と共に実装され得る。例えば、ＮａＮ接続マネージャは、ハードウェア、ソフトウェア、または両方の混合物において具現化され得る。図６を簡潔に参照して、図５Ａ−５ＣにおけるＮａＮ接続マネージャ５２０は、メモリ６２０中に記憶されたＳＷ６２５中の命令を実行するプロセッサ６１０において具現化され得る。代替として、または追加として、ＮａＮ接続マネージャは、局ＮａＮ接続マネージャ６６０（または図７−８を同様に参照する）において処理されている別個の命令セット、ファームウェア、またはハードウェアであり得る。
【００５０】
[0060]図５Ｂは、ＮａＮプローブ要求または応答をサポートするワイヤレス通信における使用のためのデバイス５０５−ａを有する図５００−ａを示す。デバイス５０５は、図１、図２Ａ、図２Ｂ、または図６に関連して記述される局１１５のうちの１つの、１つまたは複数の態様の例であり得る。デバイス５０５、またはその一部はまた、プロセッサであり得る。デバイス５０５は、ＮａＮ接続マネージャ５２０−ａまたは送信機５３０を含み得る。これらの構成要素の各々は、互いに通信し得る。
【００５１】
[0061]受信機５１０は、ＲＦ受信機である、またはＲＦ受信機を含み得る。ＲＦ受信機は、異なる帯域のための別個の受信機を含み得る。例えば、ＲＦ受信機は、１つまたは複数のＷｉ−Ｆｉ帯域（例えば２．４ＧＨｚ、５ＧＨｚ）における送信を受信するように動作可能な受信機（つまり、無線またはモデムの一部）を含み得る。受信機５１０は、図１、図２Ａ、または図２Ｂに関連して記述されたＷＬＡＮまたはＷｉ−Ｆｉネットワークのうちの１つまたは複数の通信リンクのような、ワイヤレス通信システムの１つまたは複数の通信リンクにわたる様々なタイプのデータまたは制御信号（つまり送信）を受信するように使用され得る。
【００５２】
[0062]送信機５３０は、ＲＦ送信機である、またはＲＦ送信機を含み得る。ＲＦ送信機は、異なる帯域のための別個の送信機を含み得る。例えば、ＲＦ送信機は、１つまたは複数のＷｉ−Ｆｉ帯域（例えば、２．４ＧＨｚ、５ＧＨｚ）において送信するために動作可能な送信機（つまり、無線またはモデムの一部）を含み得る。送信機５３０は、図１、図２Ａ、または図２Ｂに関連して記述されたＷＬＡＮまたはＷＬＡＮかＷｉ−Ｆｉネットワークの１つまたは複数の通信リンクにわたる様々なタイプのデータまたは制御信号（つまり送信）を送信するように使用され得る。
【００５３】
[0063]ＮａＮ接続マネージャ５２０−ａは、プローブ要求送信マネージャ５５０およびＮａＮ識別マネージャ５６０を含み得る。ＮａＮプローブ要求マネージャ５５０は、ＮａＮ検出および接続に関連した動作および機能に関して図１、図２Ａ、図２Ｂ、図３、図６、または図９に関連して記述された態様を取り扱うように構成され得る。
【００５４】
[0064]ＮａＮ識別マネージャ５６０は、ＮａＮ検出および接続に関連する動作および機能に関する図１、図２Ａ、図２Ｂ、図３、図６、または図９に関連して記述されるような、ＮａＮ発見応答を受信することと、ＮａＮ接続のための情報を決定することとを行うように構成され得る。
【００５５】
[0065]デバイス５０５−ａのこれらの構成要素は、ハードウェアにおける適用可能な機能のうちのいくつかまたはすべてを実行するように適合された１つまたは複数の特定用途向けＩＣ（ＡＳＩＣ）と、別個にまたは共同で実装される。代替として、機能は、１つまたは複数の集積回路上で、１つまたは複数の他の処理ユニット（またはコア）によって実行され得る。他の例では、他のタイプの集積回路、（例えば、ストラクチャード／プラットフォームＡＳＩＣ、フィールドプログラマブルゲートアレイ（ＦＰＧＡ）、および他のセミ−カスタムＩＣ）が使用され得、それらは、当業者において任意の既知の方法でプログラムされ得る。各ユニットの関数はまた、メモリ中に組み込まれ、１つまたは複数の汎用またはアプリケーション特有のプロセッサによって実行されるようにフォーマットされる命令と、全体的にまたは一部において、実装され得る。
【００５６】
[0066]図５Ｃは、ＮａＮプローブ要求または応答をサポートするワイヤレス通信における使用のためのデバイス５０５−ｂを有する図５００−ｂを示す。デバイス５０５は、図１、図２Ａ、図２Ｂ、図６、図７、または図８に関連して記述される局１１５またはＡＰ１０５のうちの１つの、１つまたは複数の態様の例であり得る。デバイス５０５、またはその一部はまた、プロセッサであり得る。デバイス５０５は、受信機５１０、ＮａＮ接続マネージャ５２０−ｂ、または送信機５３０を含み得る。これらの構成要素の各々は、互いに通信し得る。
【００５７】
[0067]受信機５１０はまた、ＲＦ受信機である、またＲＦ受信機を含み得る。ＲＦ受信機は、異なる帯域のための別個の受信機を含み得る。例えば、ＲＦ受信機は、１つまたは複数のＷｉ−Ｆｉ帯域（例えば２．４ＧＨｚ、５ＧＨｚ）における送信を受信するように動作可能な受信機（つまり、無線またはモデムの一部）を含み得る。受信機５１０は、図１、図２Ａ、または図２Ｂに関連して記述されたＷＬＡＮまたはＷｉ−Ｆｉネットワークの１つまたは複数の通信リンクのような、ワイヤレス通信システムの１つまたは複数の通信リンクにわたる様々なタイプのデータまたは制御信号（つまり送信）を受信するように使用され得る。
【００５８】
[0068]送信機５３０は、ＲＦ送信機である、またはＲＦ送信機を含み得る。ＲＦ送信機は、異なる帯域のための別個の送信機を含み得る。例えば、ＲＦ送信機は、１つまたは複数のＷｉ−Ｆｉ帯域（例えば、２．４ＧＨｚ、５ＧＨｚ）において送信するように動作可能な送信機（つまり、無線またはモデムの一部）を含み得る。送信機５３０は、図１、図２Ａ、または図２Ｂに関連して記述されたＷＬＡＮまたはＷｉ−Ｆｉネットワークの１つまたは複数の通信リンクにわたる様々なタイプのデータまたは制御信号（つまり、送信）を送信するように使用され得る。
【００５９】
[0069]ＮａＮ接続マネージャ５２０−ｂは、プローブ要求受信マネージャ５７０、ＮａＮ応答決定マネージャ５８０、およびＮａＮ応答送信マネージャ５９０を含み得る。プローブ要求受信マネージャ５７０は、プローブ要求の受信に関連した動作および機能に関する、図１、図２Ａ、図２Ｂ、図４、図７、図８、または図１０に関連して記述された態様を取り扱うように構成され得る。ＮａＮ応答決定マネージャ５８０は、ＮａＮ検出および接続に関連した動作および機能に関する、図１、図２Ａ、図２Ｂ、図４、図７、図８、または図１０に関連して記述されるような、ＮａＮ応答が望まれるかどうかを、受信したプローブ要求に応じて、決定することと、ＮａＮ応答のための情報を決定することとを行うように構成され得る。ＮａＮ応答送信マネージャ５９０は、ＮａＮ検出および接続に関連した動作および機能に関する、図１、図２Ａ、図２Ｂ、図４、図７、図８、または図１０に関連して記述されるような、ＮａＮ応答決定マネージャ５８０によって決定されるような１つまたは複数のＮａＮ応答を送信するように構成され得る。
【００６０】
[0070]デバイス５０５−ｂのこれらの構成要素は、ハードウェアにおける適用可能な機能のうちのいくつかまたはすべてを実行するように適合される特定用途向けＩＣ（ＡＳＩＣ）と、個別にまたは共同で実装され得る。代替として、機能は、１つまたは複数の集積回路上で、１つまたは複数の他の処理ユニット（またはコア）によって実行され得る。他の例では、他のタイプの集積回路（例えば、ストラクチャード／プラットフォームＡＳＩＣ、フィールドプログラマブルゲートアレイ（ＦＰＧＡ、および他のセミ−カスタムＩＣ）が使用され得、それらは、当業者において任意の既知の方法でプログラムされ得る。各ユニットの機能はまた、全体的にまたは一部分において、メモリ中に組み入れられ、１つまたは複数の汎用またはアプリケーション特有のプロセッサによって実行されるようにフォーマットされた命令と共に実装され得る。
【００６１】
[0071]図６を参照して、図６００は、様々な例に従うＮａＮに関する通信のために構成された通信デバイス、または局、１１５−ｆを説明することが示される。局１１５−ｆは、様々な他の構成を有し、パーソナルコンピュータ（例えば、ラップトップコンピュータ、ネットブックコンピュータ、タブレットコンピュータ、等）の一部、携帯電話、ＰＤＡ、デジタルビデオレコーダ（ＤＶＲ）、インターネット家電、ゲーミングコンソール、ｅ−リーダ、等を含む、またはこれらであり得る。局１１５−ｆは、モバイル動作を容易にするために、小さなバッテリーのような、内蔵電源（図示せず）を有し得る。局１１５−ｆは、通信デバイス１１５またはデバイス５０５の例であり、図１−図５または図９の様々な動作を実装し得る。
【００６２】
[0072]デバイス１１５−ｆのこれらの構成要素は、ハードウェアにおける適用可能な機能のうちのいくつかまたはすべてを実行ように適合された、１つまたは複数の特定用途向けＩＣ（ＡＳＩＣ）と、別個にまたは共同で実装され得る。代替として、機能は、１つまたは複数の集積回路上で１つまたは複数の他の処理ユニット（またはコア）によって実行され得る。他の例では、集積回路の他のタイプ、（例えば、ストラクチャード／プラットフォームＡＳＩＣ、フィールドプログラマブルゲートアレイ（ＦＰＧＡ）、および他のセミ−カスタムＩＣ）が使用され得、それらは、当業者において任意の既知の方法でプログラムされ得る。各ユニットの機能はまた、メモリ中に組み込まれ、１つまたは複数の汎用またはアプリケーション特有のプロセッサによって実行されるようにフォーマットされる命令と、全体的にまたは一部において、実装され得る。
【００６３】
[0073]局１１５−ｆは、プロセッサ６１０、メモリ６２０、通信マネージャ６３０、トランシーバ６４０、アンテナ６５０、および局ＮａＮ接続マネージャ６６０を含み得る。局ＮａＮ接続マネージャ６６０は、図５Ａまたは図５ＢのＮａＮ接続マネージャ５２０または５２０−ａの例であり得る。これらの構成要素の各々は、例のために、１つまたは複数のバス６１５をわたって、直鉄的にまたは間接的に互いに通信し得る。
【００６４】
[0074]メモリ６２０は、ランダムアクセスメモリ（ＲＡＭ）および読み出し専用メモリ（ＲＯＭ）を含み得る。メモリ６２０は、実行されると、プロセッサ６１０に、本願明細書に記述された様々なＮａＮに関する機能を実行させるように構成された命令を含む、コンピュータ可読、コンピュータ実行可能なソフトウェア（ＳＷ）コード６２５を記憶し得る。代替として、ソフトウェアコード６２５は、プロセッサ６１０によって直接的に実行可能ではないが、（例えば、コンパイルされ、実行されると）コンピュータに、本願明細書に記述された機能を実行させるように構成され得る。
【００６５】
[0075]プロセッサ６１０は、インテリジェントハードウェアデバイス、例えばＣＰＵ、マイクロコントローラ、ＡＳＩＣ、等を含み得る。プロセッサ６１０は、トランシーバ６４０を通じて受信された情報を処理し、アンテナ６５０を通じた送信のためにトランシーバ６４０に送られ得る。プロセッサ６１０は、単独でまたは通信マネージャ６３０あるいは局ＮａＮ接続マネージャ６６０に接続されて、本願明細書に記述されるようなＮａＮプローブ要求またはＮａＮ発見応答通信のための様々な態様を取り扱い得る。
【００６６】
[0076]トランシーバ６４０は、図１、図２Ａ、図２Ｂ、または図８におけるＡＰ１０５と二方向に通信するように構成され得る。トランシーバ６４０は、１つまたは複数の送信機および１つまたは複数の別個の受信機として実装され得る。トランシーバ６４０は、パケットを変調することと、アンテナ６５０に変調されたパケットを提供することとを行うように構成され、さらにアンテナ６５０から受信されたパケットを復調するように構成されたモデムを含み得る。局１１５−ｆが単一のアンテナを含み得る一方、局１１５−ｆが複数のアンテナ６５０を含み得る例も存在し得る。
【００６７】
[0077]局１１５−ｆの構成要素は、図１−図５、または図９に関連して本明細書に議論された態様を実装するように構成され、それらの態様は、簡潔さのために本願明細書で繰り返され得ない。
【００６８】
[0078]図７を参照して、図７００は、様々な例に従うＮａＮに関する通信のために構成された通信デバイス、または局、１１５−ｇを説明することが示される。局１１５−ｇは、様々な他の構成を有し、パーソナルコンピュータ（例えば、ラップトップコンピュータ、ネットブックコンピュータ、タブレットコンピュータ、等）の一部、携帯電話、ＰＤＡ、デジタルビデオレコーダ（ＤＶＲ）、インターネット家電、ゲーミングコンソール、ｅ−リーダ、等を含む、またはこれらであり得る。局１１５−ｇは、モバイル動作を容易にするために、小さなバッテリーのような、内蔵電源（図示せず）を有し得る。局１１５−ｇは、通信デバイス１１５またはデバイス５０５の例であり、図１−図５または図９の様々な動作を実装し得る。例では、局１１５−ｇは、ＮａＮマスタデバイスとして構成さ得る。
【００６９】
[0079]デバイス１１５−ｇのこれらの構成要素は、ハードウェアにおける適用可能な機能のうちのいくつかまたはすべてを実行ように適合された、１つまたは複数の特定用途向けＩＣ（ＡＳＩＣ）と、別個にまたは共同で実装され得る。代替として、機能は、１つまたは複数の集積回路上で１つまたは複数の他の処理ユニット（またはコア）によって実行され得る。他の例では、集積回路の他のタイプ、（例えば、ストラクチャード／プラットフォームＡＳＩＣ、フィールドプログラマブルゲートアレイ（ＦＰＧＡ）、および他のセミ−カスタムＩＣ）が使用され得、それらは、当業者において任意の既知の方法でプログラムされ得る。各ユニットの機能はまた、メモリ中に組み込まれ、１つまたは複数の汎用またはアプリケーション特有のプロセッサによって実行されるようにフォーマットされる命令と、全体的にまたは一部において、実装され得る。
【００７０】
[0080]局１１５−ｇは、プロセッサ７１０、メモリ７２０、通信マネージャ７３０、トランシーバ７４０、アンテナ７５０、および局ＮａＮ接続マネージャ７６０を含み得る。局ＮａＮ接続マネージャ７６０は、図５Ａまたは図５ＢのＮａＮ接続マネージャ５２０または５２０−ｂの例であり得る。これらの構成要素の各々は、例のために、１つまたは複数のバス７１５をわたって、直鉄的にまたは間接的に互いに通信し得る。
【００７１】
[0081]メモリ７２０は、ランダムアクセスメモリ（ＲＡＭ）および読み出し専用メモリ（ＲＯＭ）を含み得る。メモリ７２０は、実行されると、プロセッサ７１０に、本願明細書に記述された様々なＮａＮに関する機能を実行させるように構成された命令を含む、コンピュータ可読、コンピュータ実行可能なソフトウェア（ＳＷ）コード７２５を記憶し得る。代替として、ソフトウェアコード７２５は、プロセッサ７１０によって直接的に実行可能ではないが、（例えば、コンパイルされ、実行されると）コンピュータに、本願明細書に記述された機能を実行させるように構成され得る。
【００７２】
[0082]プロセッサ７１０は、インテリジェントハードウェアデバイス、例えばＣＰＵ、マイクロコントローラ、ＡＳＩＣ、等を含み得る。プロセッサ７１０は、トランシーバ７４０を通じて受信された情報を処理し、アンテナ７５０を通じた送信のためにトランシーバ７４０に送られ得る。プロセッサ７１０は、単独でまたは通信マネージャ７３０あるいは局ＮａＮ接続マネージャ７６０に接続されて、本願明細書に記述されるようなＮａＮプローブ要求またはＮａＮ発見応答通信のための様々な態様を取り扱い得る。
【００７３】
[0083]トランシーバ７４０は、図１、図２Ａ、図２Ｂ、または図８におけるＡＰ１０５と二方向に通信するように構成され得る。トランシーバ７４０は、１つまたは複数の送信機および１つまたは複数の別個の受信機として実装され得る。トランシーバ７４０は、パケットを変調することと、アンテナ７５０に変調されたパケットを提供することとを行うように構成され、さらにアンテナ７５０から受信されたパケットを復調するように構成されたモデムを含み得る。局１１５−ｇが単一のアンテナを含み得る一方、局１１５−ｇが複数のアンテナ７５０を含み得る例も存在し得る。
【００７４】
[0084]局１１５−ｇの構成要素は、図１−図５、または図９に関連して本明細書に議論された態様を実装するように構成され、それらの態様は、簡潔さのために本願明細書で繰り返され得ない。
【００７５】
[0085]図８を参照して、図８００は、様々な例に従うＮａＮプローブおよびＮａＮ発見応答通信のために構成されたアクセスポイントまたはＡＰ１０５−ｂを説明することが示される。ＡＰ１０５−ｂは、図１または図２ＡのＡＰ１０５の例であり得る。ＡＰ１０５−ｂは、プロセッサ８１０、メモリ８２０、トランシーバ８３０、アンテナ８４０、およびＡＰ  ＮａＮマネージャ８４５を含み得る。ＡＰ  ＮａＮマネージャ８４５は、図５Ａまたは図５ＣのＮａＮ接続マネージャ５２０または５２０−ｂの例であり得る。ＡＰ１０５−ｂはまた、ＡＰ通信マネージャ８８０およびネットワーク通信マネージャ８８５のうちの１つまたは両方を含み得る。これらの構成要素の各々は、例のために、１つまたは複数のバス８１５をわたって、直鉄的にまたは間接的に互いに通信し得る。
【００７６】
[0086]ＡＰ１０５−ｂのこれらの構成要素は、ハードウェアにおける適用可能な機能のうちのいくつかまたはすべてを実行ように適合された、１つまたは複数の特定用途向けＩＣ（ＡＳＩＣ）と、別個にまたは共同で実装され得る。代替として、機能は、１つまたは複数の集積回路上で１つまたは複数の他の処理ユニット（またはコア）によって実行され得る。他の例では、集積回路の他のタイプ、（例えば、ストラクチャード／プラットフォームＡＳＩＣ、フィールドプログラマブルゲートアレイ（ＦＰＧＡ）、および他のセミ−カスタムＩＣ）が使用され得、それらは、当業者において任意の既知の方法でプログラムされ得る。各ユニットの機能はまた、メモリ中に組み込まれ、１つまたは複数の汎用またはアプリケーション特有のプロセッサによって実行されるようにフォーマットされる命令と、全体的にまたは一部において、実装され得る。
【００７７】
[0087]メモリ８２０は、ランダムアクセスメモリ（ＲＡＭ）および読み出し専用メモリ（ＲＯＭ）を含み得る。メモリ８２０はまた、実行されると、プロセッサ８１０に、ＮａＮプローブおよび発見応答通信のために、本願明細書に記述された機能を実行させるように構成された命令を含む、コンピュータ可読、コンピュータ実行可能なソフトウェア（ＳＷ）コード８２５を記憶し得る。代替として、ソフトウェアコード８２５は、プロセッサ８１０によって直接的に実行可能ではないが、例えば、コンパイルされ、実行されると、コンピュータに、本願明細書に記述された機能を実行させるように構成され得る。
【００７８】
[0088]プロセッサ８１０は、インテリジェントハードウェアデバイス、例えば、中央処理装置（ＣＰＵ）、マイクロコントローラ、特定用途向け集積回路（ＡＳＩＣ）、等を含み得る。プロセッサ８１０は、トランシーバ８３０、ＡＰ通信マネージャ８８０、またはネットワーク通信マネージャ８８５を通じて受信された情報を処理し得る。プロセッサ８１０はまた、アンテナ８４０を通じた送信のためにトランシーバ８３０に、ＡＰ通信マネージャ８８０に、またはネットワーク通信マネージャ８８５に送られるべき情報を処理し得る。プロセッサ８１０は、単独でまたはＡＰ  ＮａＮマネージャ８４５に接続されて、以上で議論したようなプローブ要求およびＮａＮ発見応答通信に関する様々な態様を取り扱い得る。
【００７９】
[0089]トランシーバ８３０は、パケットを変調することと、アンテナ８４０に変調されたパケットを提供することとを行うように構成され、さらにアンテナ８４０から受信されたパケットを復調するように構成されたモデムを含み得る。トランシーバ８３０は、１つまたは複数の送信機および１つまたは複数の別個の受信機として実装され得る。トランシーバ８３０は、例えば、図１、図２Ａ、図２Ｂ、図６または図７において説明されるように、１つまたは複数の局１１５と、アンテナ８４０を介して、二方向に通信するように構成され得る。ＡＰ１０５−ｂは、複数のアンテナ８４０（例えば、アンテナアレイ）を典型的に含み得る。ＡＰ１０５−ｂは、ネットワーク通信マネージャ８８５を通じてコアネットワーク８０５と通信し得る。ＡＰ１０５−ｂは、ＡＰ通信マネージャ８８０を使用して、ＡＰ１０５−ｉおよびＡＰ１０５−ｊのような、他のＡＰと通信し得る。
【００８０】
[0090]図８のアーキテクチャに従って、ＡＰ１０５−ｂは、通信マネージャ８５０をさらに含み得る。通信マネージャ８５０は、例えば、図１、図２Ａ、または図２Ｂのシステム１００または２００において説明されるような局または他のデバイスとの通信を管理し得る。通信マネージャ８５０は、バスまたは複数のバス８１５を介してＡＰ１０５−ｂの他の構成要素のうちのいくつかまたはすべてと通信し得る。代替として、通信マネージャ８５０の機能は、トランシーバ８３０の構成要素として、コンピュータプログラム製品として、またはプロセッサ８１０の１つまたは複数の制御器要素として、実装され得る。
【００８１】
[0091]ＡＰ１０５−ｂの構成要素は、図１−図５、または図１０に関連して本願明細書に議論された態様を実装するように構成され、それらの態様は、簡潔さのために本願明細書で繰り返され得ない。
【００８２】
[0092]図９は、ワイヤレス通信のための方法９００の例を説明するフローチャートである。明瞭さのために、方法９００は、図１、図２Ａ、図２Ｂ、図５Ａ、図５Ｂ、図６、または図７において示される、局またはデバイス１１５あるいはデバイス５０５のうちの１つに関連して以下に記述される。１つの例では、局のうちの１つは、以下で記述される機能を実行するために、局の機能要素を制御する１つまたは複数のコードのセットを実行し得る。
【００８３】
[0093]ブロック９０５で、デバイスは、ＮａＮ発見情報を受信する。いくつかの実施形態では、ＮａＮ発見情報は、デバイスから送信されたプローブ要求に応答して、求められていないビーコン信号、プローブ応答、または発見応答パブリックアクションフレーム中で受信され得る。プローブ要求は、ＮａＮデバイス以外のワイヤレスネットワークインフラストラクチャのためのアクティブスキャンの一部として送信され得る。ＮａＮデバイス以外のワイヤレスネットワークインフラストラクチャは、ピアツーピア（Ｐ２Ｐ）デバイス、ソフトアクセスポイントデバイス、独立した基本サービスセット（ＩＢＳＳ）デバイス、メッシュデバイス、および局（ＳＴＡ）デバイスから成るグループのうちの少なくとも１つを含み得る。プローブ要求がこれらのデバイスのうちの１つによって送られる場合、プローブ要求を送るデバイスは、１つまたは複数のＮａＮデバイスと一所に配置され、プローブ要求は、ＮＡＮ発見情報を含み得る。これらの動作は、例えば、デバイス５０５またはデバイス５０５−ａの１つまたは複数の他の要素デバイスと連結する図５Ａまたは図５Ｂの受信機５１０のうちの１つまたは複数、または局１１５−ｆの１つまたは複数の他の要素と連結する図６のトランシーバ６４０およびアンテナ６５０によって実行され得る。
【００８４】
[0094]ブロック９１０で、ＮａＮ発見情報のサブセットは、ワイヤレス通信ネットワーク中のＮａＮデバイスに接続する際に使用するために識別される。これらの動作は、たとえば、デバイス５０５またはデバイス５０５−ａの他の要素デバイスと連結する図５Ａまたは図５ＢのＮａＮ接続マネージャ５２０またはＮａＮ接続マネージャ５２０−ａのうちの１つまたは複数、または局１１５−ｆのうちの１つまたは複数の他の要素と連結する図６のＮａＮ接続マネージャ６６０によって実行され得る。
【００８５】
[0095]図１０は、ワイヤレス通信のための方法１０００の別の例を説明するフローチャートである。明瞭さのために、方法１０００は、図１、図２Ａ、図２Ｂ、図５Ａ、図５Ｂ、図６、または図７において示される、局またはデバイス１１５あるいはデバイス５０５のうちの１つに関連して以下に記述される。１つの例では、局のうちの１つは、以下に記述される機能を実行するために、局の機能要素を制御する１つまたは複数のコードのセットを実行し得る。
【００８６】
[0096]ブロック１００５で、デバイスは、ワイヤレス通信ネットワークにおける１つまたは複数の近隣エリアネットワーク（ＮａＮ）デバイスを発見するために、プローブ要求を送信し得る。プローブ要求は、ＮａＮデバイス以外のワイヤレスネットワークインフラストラクチャのためのアクティブスキャンの一部として送信され得る。ＮａＮデバイス以外のワイヤレスネットワークインフラストラクチャは、Ｐ２Ｐデバイス、ソフトアクセスポイントデバイス、ＩＢＳＳデバイス、メッシュデバイス、およびＳＴＡデバイスから成るグループのうちの少なくとも１つを含み得る。プローブ要求がデバイスのうちの１つによって送られる場合、プローブ要求を送るデバイスは、１つまたは複数のＮａＮデバイスと一所に配置され、プローブ要求は、ＮＡＮ発見情報を含み得る。例えば、プローブ要求の送信は、デバイス５０５またはデバイス５０５−ａのうちの１つまたは複数の他の要素と連結する、図５Ａまたは図５Ｂの送信機５３０のうちの１つまたは複数、または局１１５−ｆのうちの１つまたは複数の他の要素と連結する図６のトランシーバ６４０およびアンテナ６５０によって実行され得る。
【００８７】
[0097]ブロック１０１０で、デバイスは、プローブ要求を受信することに応じて送信されるＮａＮ発見情報を受信し得る。例えば、これらの動作は、デバイス５０５またはデバイス５０５−ａのうちの１つまたは複数の他の要素と連結する、図５Ａまたは図５Ｂの受信機５１０のうちの１つまたは複数、または局１１５−ｆのうちの１つまたは複数の他の要素と連結する図６のトランシーバ６４０およびアンテナ６５０によって実行され得る。
【００８８】
[0098]ブロック１０１５で、ＮａＮ発見情報のサブセットは、ワイヤレス通信ネットワークにおけるＮａＮデバイスに接続する際に使用するために識別される。例えば、これらの動作は、デバイス５０５またはデバイス５０５−ａのうちの１つまたは複数の他の要素と連結する、図５Ａまたは図５ＢのＮａＮ接続マネージャ５２０のうちの１つまたは複数、または局１１５−ｆのうちの１つまたは複数の他の要素と連結する図６の局ＮａＮ接続マネージャ６６０によって実行され得る。
【００８９】
[0099]図１１は、ワイヤレス通信のための方法１１００の例を説明するフローチャートである。明瞭さのために、方法１１００は、図１、図２Ａ、図２Ｂ、図５Ａ、図５Ｃ、図７、または図８において示される、ＡＰ、局、またはデバイス１０５、デバイス１１５、あるいはデバイス５０５のうちの１つに関連して以下に記述される。１つ例では、ＡＰまたは局のうちの１つは、以下に記述される機能を実行するために、ＡＰまたは局の機能要素を制御する１つまたは複数のコードのセットを実行し得る。
【００９０】
[0100]ブロック１１０５で、ＮａＮ発見情報がプローブ要求に応答して送信されるかどうかを決定する。プローブ要求は、ＮａＮデバイス以外のワイヤレスネットワークインフラストラクチャのためのアクティブスキャンの一部として送信され得る。ＮａＮデバイス以外のワイヤレスネットワークインフラストラクチャは、Ｐ２Ｐデバイス、ソフトアクセスポイントデバイス、ＩＢＳＳデバイス、メッシュデバイス、およびＳＴＡデバイスから成るグループのうちの少なくとも１つを含み得る。プローブ要求がデバイスのうちの１つによって送られる場合、プローブ要求を送るデバイスは、１つまたは複数のＮａＮデバイスと一所に配置され、プローブ要求は、ＮＡＮ発見情報を含み得る。例えば、これらの動作は、デバイス５０５またはデバイス５０５−ｂの他の要素と連結する、図５Ａまたは図５ＣのＮａＮ接続マネージャ５２０またはＮａＮ接続マネージャ５２０−ｂのうちの１つまたは複数、局１１５−ｇの１つまたは複数の他の要素と連結する、図７のマスタＮａＮ接続マネージャ７６０、またはＡＰ１０５−ｂの１つまたは複数の他の要素と連結する、図８のＡＰ  ＮａＮマネージャ８４５によって実行され得る。
【００９１】
[0101]ブロック１１１０で、ＮａＮ発見情報は、決定に応じて送信され得る。ＮａＮ発見情報は、プローブ応答、ビーコン信号、または発見応答パブリックアクションフレーム中で送信され得る。例えば、そのような動作は、デバイス５０５またはデバイス５０５−ｂの１つまたは複数の他の要素と連結する、図５Ａまたは図５Ｃの送信機５３０のうちの１つまたは複数、局１１５−ｇの１つまたは複数の他の要素と連結する、図７のトランシーバ７４０およびアンテナ７５０、またはＡＰ１０５−ｂの１つまたは複数の他の要素と連結する、図８のトランシーバ８３０およびアンテナ８４０によって実行され得る。
【００９２】
[0102]図１２は、ワイヤレス通信のための方法１２００の例を説明するフローチャートである。明瞭さのために、方法１１００は、図１、図２Ａ、図２Ｂ、図５Ａ、図５Ｃ、図７、または図８において示される、ＡＰ、局、またはデバイス１０５、デバイス１１５、あるいはデバイス５０５のうちの１つに関連して下記に記述される。１つの例では、ＡＰまたは局のうちの１つは、以下に記述される機能を実行するために、ＡＰまたは局の機能要素を制御する１つまたは複数のコードのセットを実行し得る。
【００９３】
[0103]ブロック１２０５で、プローブ要求は、ワイヤレス通信ネットワークにおける局から受信され得る。プローブ要求は、ＮａＮデバイス以外のワイヤレスネットワークインフラストラクチャのためのアクティブスキャンの一部として送信され得る。ＮａＮデバイス以外のワイヤレスネットワークインフラストラクチャは、Ｐ２Ｐデバイス、ソフトアクセスポイントデバイス、ＩＢＳＳデバイス、メッシュデバイス、およびＳＴＡデバイスから成るグループのうちの少なくとも１つを含み得る。プローブ要求がデバイスのうちの１つによって送られる場合、プローブ要求を送るデバイスは、１つまたは複数のＮａＮデバイスと一所に配置され、プローブ要求は、ＮＡＮ発見情報を含み得る。例えば、プローブ要求の受信は、デバイス５０５またはデバイス５０５−ｂの１つまたは複数の他の要素と連結する、図５Ａまたは図５Ｃの受信機５１０のうちの１つまたは複数、局１１５−ｇの１つまたは複数の他の要素と連結する、図７のトランシーバ７４０およびアンテナ７５０、またはＡＰ１０５−ｂの１つまたは複数の他の要素と連結する、図８のトランシーバ８３０およびアンテナ８４０によって実行され得る。
【００９４】
[0104]ブロック１２１０で、ＮａＮ発見情報がプローブ要求に応じて送信されるかどうかを決定する。例えば、そのような動作は、デバイス５０５またはデバイス５０５−ｂの他の要素と連結する、図５Ａまたは図５ＣのＮａＮ接続マネージャ５２０またはＮａＮ接続マネージャ５２０−ｂのうちの１つまたは複数、局１１５−ｇの１つまたは複数の他の要素と連結する、図７のマスタＮａＮ接続マネージャ７６０、またはＡＰ１０５−ｂの１つまたは複数の他の要素と連結する、図８のＡＰ  ＮａＮマネージャ８４５によって実行され得る。
【００９５】
[0105]ブロック１２１５で、ＮａＮ発見情報は、プローブ要求の受信に応答して送信され得る。ＮａＮ発見情報は、プローブ応答、ビーコン信号、および発見応答ピュビックアクションフレーム（discovery response pubic action frame）から成るグループのうちの少なくとも１つにおいて送信され得る。例えば、そのような動作は、デバイス５０５またはデバイス５０５−ｂの１つまたは複数の他の要素と連結する、図５Ａまたは図５Ｃの送信機５３０のうちの１つまたは複数、局１１５−ｇの１つまたは複数の他の要素と連結する、図７のトランシーバ７４０およびアンテナ７５０、またはＡＰ１０５−ｂの１つまたは複数の他の要素と連結する、図８のトランシーバ８３０およびアンテナ８４０によって実行され得る。
【００９６】
[0106]したがって、方法９００、１０００、１１００、および１２００は、ワイヤレス通信を提供し得る。方法９００、１０００、１１００および１２００の各々が、単に１つの実装に過ぎず、方法９００、１０００、１１００および１２００の動作は、他の実装が可能なように、再配置またはそうでなければ修正され得ることは認識されるべきである。いくつかの例示では、方法９００、１０００、１１００、および１２００の動作は、他の実装を作り出すように組み合わせられ得る。
【００９７】
[0107]添付された図面に関連して以上の詳細な説明は、例示的な例を記述するものであり、実施され得る、あるいは特許請求の範囲内にある例のみを表すものではない。本明細書全体にわたって使用される用語「例示的（exemplary）」は、「好ましい」あるいは「他の例よりも有利である」ということではなく、「例、実例、あるいは説明として役立つこと」を意味する。詳細な説明は、記述された技法の理解を提供する目的で、特定の詳細を含む。しかしながら、これらの技法は、これらの特定の詳細なしで実施されうる。いくつかの実例では、周知の構造およびデバイスは、記述された例の概念を曖昧にしないように、ブロック図形式で示される。
【００９８】
[0108]情報と信号は、様々な異なる技術および技法の任意のものを使用して表され得る。例えば、以上の記述を通して参照されうるデータ、命令群、コマンド、情報、信号、ビット、シンボル、およびチップは、電圧、電流、電磁波、磁場あるいは磁気粒子、光学場または光学粒子、あるいはそれら任意の組み合わせによって表わされうる。
【００９９】
[0109]本明細書における開示に関連付けて説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）、あるいは他のプログラマブルロジックデバイス、離散ゲートまたはトランジスタロジック、離散ハードウェアコンポーネント、あるいは本明細書において説明された機能を実行するために設計された、それら任意の組合せで実現あるいは実行され得る。汎用プロセッサは、マイクロプロセッサであり得るが、代替例として、このプロセッサは、任意の従来型のプロセッサ、コントローラ、マイクロコントローラ、あるいはステートマシンであり得る。プロセッサはまた、コンピューティングデバイスの組み合わせ、例えば、DSPとマイクロプロセッサとの組み合わせ、複数のマイクロプロセッサ、DSPコアと併用しての１つ以上のマイクロプロセッサ、あるいは任意の他のそのような構成のもの、として実現され得る。
【０１００】
[0110]本明細書において説明される機能は、ハードウェア、プロセッサによって実行されるソフトウェア、ファームウェア、またはそれらのいずれの組み合わせにおいて実装され得る。プロセッサによって実行されるソフトウェアで実装される場合、機能は、１つまたは複数の命令またはコードとしてコンピュータ可読媒体で記憶され、送信され得る。他の例および実装は、本開示および特許請求の主旨および範囲内にある。例えば、ソフトウェアの性質により、上述される機能は、プロセッサによって実行されるソフトウェア、ハードウェア、ファームウェア、ハードワイヤリング、またはこれらのいずれかの組み合わせを使用して実装されることができる。機能を実装する特徴はまた、機能の部分が、異なる物理的ロケーションにおいて実装されるように分散されることを含めて、様々なポジションに物理的に位置しうる。また、本明細書で使用されるように、特許請求の範囲を含む、「のうちの少なくとも１つ」で始まる項目のリストで使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【０１０１】
[0111]コンピュータ可読媒体は、１つの場所から別の場所へのコンピュータプログラムの転送を容易にする任意の媒体を含む、コンピュータ記憶媒体と通信媒体の両方を含む。記憶媒体は、汎用または専用コンピュータによってアクセスされることができるいずれの利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令またはデータ構造の形態で所望のプログラムコード手段を搬送または記憶するために使用されることができ、汎用または特殊用途コンピュータ、もしくは汎用または特殊用途プロセッサによってアクセスされることができる任意の他の媒体を備えることができる。また、任意の接続は、適切に、コンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、またはワイヤレス技術は、媒体の定義に含まれる。ディスク（disk）およびディスク（disc）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここにおいて、ディスク（disk）は通常、磁気的にデータを再生するが、その一方でディスク（disc）は、レーザーを用いて光学的にデータを再生する。上記の組み合わせはまた、コンピュータ可読媒体の範囲内に含まれる。
【０１０２】
[0112]本開示の先の説明は、当業者が本開示を製造または使用することを可能にするように提供される。本開示に対する様々な変更は、当業者に容易に理解され、本明細書で定義された一般的な原理は、本開示の精神または範囲から逸脱せずに、他の変形に適用され得る。本開示全体にわたって、用語「例」または「例示的」は、例または事例を示すものであり、言及された例についてのいかなる選好を暗に示すものでも必要とするものでもない。したがって、本開示は、本明細書に記述された例および設計に制限されることを意図せず、本明細書に開示された原理および新規な特徴と一致する最も広い範囲が認められるべきである。
以下に本願の出願当初の特許請求の範囲に記載された発明を付記する。
［Ｃ１］
ワイヤレス通信のための方法であって、
近隣エリアネットワーク（ＮａＮ）発見情報を受信すること、ここにおいて、前記ＮａＮ発見情報は、求められていないビーコン、またはプローブ要求に応じて受信される、と、
ワイヤレス通信ネットワークにおけるＮａＮデバイスに接続する際に使用するための前記ＮａＮ発見情報のサブセットを識別することと
を備える、方法。
［Ｃ２］
前記プローブ要求を送信することをさらに備え、前記ＮａＮ発見情報を受信することは、前記プローブ要求を受信することに応じたものである、
Ｃ１に記載の方法。
［Ｃ３］
前記プローブ要求は、ＮａＮ発見要素を備える、
Ｃ１に記載の方法。
［Ｃ４］
前記ＮａＮ発見情報を受信することは、プローブ応答、ビーコン信号、および発見応答パブリックアクションフレームから成るグループのうちの少なくとも１つにおいて前記ＮａＮ発見情報を受信することを備える、
Ｃ１に記載の方法。
［Ｃ５］
前記ＮａＮ発見情報は、ＮａＮクラスタ情報およびＮａＮデバイス情報から成るグループのうちの少なくとも１つを備える、
Ｃ１に記載の方法。
［Ｃ６］
前記ＮａＮ発見情報の前記サブセットを識別することは、同期ビーコンタイミング、発見タイミング、および前記ＮａＮデバイスから成るグループのうちの少なくとも１つを決定することを備え、前記ＮａＮ発見情報の前記サブセットは、前記ＮａＮクラスタ情報に少なくとも部分的に基づいて識別される、
Ｃ５に記載の方法。
［Ｃ７］
前記プローブ要求は、ＮａＮデバイス以外のワイヤレスネットワークインフラストラクチャのためのアクティブスキャンの一部として送信される、
Ｃ１に記載の方法。
［Ｃ８］
ＮａＮデバイス以外の前記ワイヤレスネットワークインフラストラクチャは、ピアツーピア（Ｐ２Ｐ）デバイス、ソフトアクセスポイントデバイス、独立基本サービスセット（ＩＢＳＳ）デバイス、メッシュデバイス、および局（ＳＴＡ）デバイスから成るグループのうちの少なくとも１つを備える、
Ｃ７に記載の方法。
［Ｃ９］
前記プローブ要求は、前記Ｐ２Ｐデバイス、前記ソフトアクセスポイントデバイス、前記ＩＢＳＳデバイス、前記メッシュデバイス、および前記ＳＴＡデバイスから成るグループの前記デバイスのうちの１つによって送られ、
前記プローブ要求を送るデバイスは、前記ＮａＮデバイスと一所に配置され、
前記プローブ要求は、ＮＡＮ発見情報をさらに備える、
Ｃ８に記載の方法。
［Ｃ１０］
前記ＮａＮ発見情報を受信することは、前記ＮａＮデバイスおよび前記ワイヤレス通信ネットワークの別のネットワーク要素から成るグループのうちの少なくとも１つから前記ＮａＮ発見情報を受信することを備える、
Ｃ１に記載の方法。
［Ｃ１１］
ワイヤレス通信のための装置であって、
近隣エリアネットワーク（ＮａＮ）発見情報を受信する受信機、ここにおいて、前記ＮａＮ発見情報は、求められていないビーコン、またはプローブ要求に応じて受信される、と、
ワイヤレス通信ネットワークにおけるＮａＮデバイスに接続する際に使用するための前記ＮａＮ発見情報のサブセットを識別するプロセッサと
を備える、装置。
［Ｃ１２］
プローブ要求を送信する送信機をさらに備え、前記受信機は、前記プローブ要求を受信することに応じて前記ＮａＮ発見情報を受信する、
Ｃ１１に記載の装置。
［Ｃ１３］
前記プローブ要求は、ＮａＮ発見要素を備える、
Ｃ１１に記載の装置。
［Ｃ１４］
前記ＮａＮ発見情報を受信することは、プローブ応答、ビーコン信号、および発見応答パブリックアクションフレームから成るグループのうちの少なくとも１つにおいて前記ＮａＮ発見情報を受信することを備える、
Ｃ１１に記載の装置。
［Ｃ１５］
前記ＮａＮ発見情報は、ＮａＮクラスタ情報およびＮａＮデバイス情報から成るグループのうちの少なくとも１つを備える、
Ｃ１１に記載の装置。
［Ｃ１６］
前記プローブ要求は、ＮａＮデバイス以外のワイヤレスネットワークインフラストラクチャのためのアクティブスキャンの一部として送信される、
Ｃ１１に記載の装置。
［Ｃ１７］
ワイヤレス通信ネットワークにおける近隣エリアネットワーク（ＮａＮ）デバイスでの、ワイヤレス通信のための方法であって、
ＮａＮ発見情報がプローブ要求に対して応じて送信されるかどうかを決定することと、
前記決定に応じて前記ＮａＮ発見情報を送信することと
を備える、方法。
［Ｃ１８］
局からプローブ要求を受信することをさらに備え、前記ＮａＮ発見情報を送信することは、前記プローブ要求を受信することに応じたものである、
Ｃ１７に記載の方法。
［Ｃ１９］
前記ＮａＮ発見情報が送信されるかどうかを決定することは、
前記プローブ要求がＮａＮ発見要素を含むかどうかを決定することを備える、
Ｃ１７に記載の方法。
［Ｃ２０］
前記ＮａＮ発見情報が送信されるかどうかを決定することは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
を備える、Ｃ１７に記載の方法。
［Ｃ２１］
前記ＮａＮ発見情報が送信されるかどうかを決定することは、
ＮａＮ発見情報が送信された後の経過時間を決定することと、
前記経過時間がしきい値経過時間期間を超えるとき、前記ＮａＮ発見情報が送信されると決定することと
を備える、Ｃ１７に記載の方法。
［Ｃ２２］
前記ＮａＮ発見情報は、プローブ応答、ビーコン信号、および発見応答パブリックアクションフレームから成るグループの少なくとも１つにおいて送信される、
Ｃ１７に記載の方法。
［Ｃ２３］
前記ＮａＮ発見情報は、ＮａＮクラスタ情報およびＮａＮデバイス情報から成るグループのうちの少なくとも１つを備える、
Ｃ１７に記載の方法。
［Ｃ２４］
前記ＮａＮ発見情報が送信されるかどうかを決定することは、
別のＮａＮデバイスが前記プローブ要求に応じてＮａＮ発見情報を送信した場合、前記ＮａＮ発見情報を送信することがスキップされると決定することを備える、
Ｃ１７に記載の方法。
［Ｃ２５］
ワイヤレス通信ネットワークにおける近隣エリアネットワーク（ＮａＮ）デバイスでの、ワイヤレス通信のための装置であって、
ＮａＮ発見情報がプローブ要求に対して応じて送信されるかどうかを決定するプロセッサと、
前記決定に応じて前記ＮａＮ発見情報を送信する送信機と
を備える、装置。
［Ｃ２６］
局からプローブ要求を受信する受信機をさらに備え、前記送信機は、前記プローブ要求を受信することに応じて前記ＮａＮ発見情報を送信する、
Ｃ２５に記載の装置。
［Ｃ２７］
前記プロセッサは、前記プローブ要求がＮａＮ発見要素を含むかどうかを決定することをさらに行う、
Ｃ２５に記載の装置。
［Ｃ２８］
前記プロセッサは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
をさらに行う、Ｃ２５に記載の装置。
［Ｃ２９］
前記プロセッサは、
ＮａＮ発見情報が送信された以後の経過時間を決定することと、
前記経過時間がしきい値経過時間期間を超える場合、前記ＮａＮ発見情報が送信されると決定することと
をさらに行う、Ｃ２５に記載の装置。
［Ｃ３０］
前記ＮａＮ発見情報は、プローブ応答、ビーコン信号、および発見応答パブリックアクションフレームから成るグループの少なくとも１つにおいて送信される、
Ｃ２５に記載の装置。
【図１】
0006408025.tif 000002
【図２Ａ】
0006408025.tif 000003
【図２Ｂ】
0006408025.tif 000004
【図３】
0006408025.tif 000005
【図４】
0006408025.tif 000006
【図５Ａ】
0006408025.tif 000007
【図５Ｂ】
0006408025.tif 000008
【図５Ｃ】
0006408025.tif 000009
【図６】
0006408025.tif 000010
【図７】
0006408025.tif 000011
【図８】
0006408025.tif 000012
【図９】
0006408025.tif 000013
【図１０】
0006408025.tif 000014
【図１１】
0006408025.tif 000015
【図１２】
0006408025.tif 000016